(57)【特許請求の範囲】
【請求項１】
アルミニウムのような熱伝導率の大きい金属からなる加熱板と、該加熱板の一部に固定され該加熱板の少なくとも一部を加熱するための加熱手段と、該加熱手段に接続されて該加熱手段に給電する電線とから成る加熱装置において、
前記加熱板の熱伝導率より小さくかつ前記電線の素材の熱伝導率の５分の１以下の熱伝導率を有する素材から形成される放熱防止接続材を記加熱手段と前記電線との間に配設したことを特徴とする加熱装置。
【発明の詳細な説明】
【０００１】
【産業上の利用分野】
本発明は、加熱板等を用いて被加熱物の少なくとも一部を加熱し、しかもその加熱効率のよい加熱装置に関し、特に、ウェットティッシュの使用時に乳幼児や病人などの肌の敏感な人に与えるヒヤリとした冷たい不快感を取り除くために、ウェットティッシュを加熱するのに好適な加熱装置に関する。
【０００２】
【従来の技術】
従来、布おしぼりの代用品として、お手拭き用、キッチン用、トイレ掃除用、乳幼児や病人のお尻拭き用などの、使い捨てタイプのウェットティッシュが幅広く使用されている。また、このような使い捨てタイプのウェットティッシュの容器には、大別して、ボトルタイプ（円筒型）、ボックスタイプ（箱型）及びビニール袋タイプの３種類が主に使用されている。
【０００３】
特に、乳幼児や病人のお尻拭き用のウェットティッシュを冬季等の気温の低い時期に使用する場合には、ウェットティッシュの温度が低いために、使用時に乳幼児や病人に不快感を与えてしまうことがあった。
【０００４】
この問題を解決するための手段として、実開平４−１０４９９０号公報及び実開平４−１１２０７１号公報に開示されたボトルタイプのウェットティッシュにヒータを設けて加熱する装置がある。
【０００５】
一方、両公報に開示された加熱装置は、使用するウェットティッシュがロールの中央に位置するにもかかわらず、実開平４−１０４９９０号公報においてはウェットティッシュのロールの外周面からの加熱を、また、実開平４−１１２０７１号公報においてはウェットティッシュのロールの底面からの加熱を行うといったいずれもボトルタイプの容器全体を温める方式であり加熱及び電気効率が低いものであり、さらに、ボックスタイプやビニール袋タイプの容器に収容されたウェットティッシュの加熱には使用できなかった。
【０００６】
そこで、本出願人は、上記課題を解決するために、ボックスタイプやビニール袋タイプの容器に収容されたウェットティッシュを加熱することができるもので、しかも、その際ウェットティッシュの少なくとも一部を加熱し、使用されるウェットティッシュを効率よく加熱する加熱装置をすでに提供している。
【０００７】
図２は、以前に本出願人が出願した本発明の関連技術であるウェットティッシュを加熱する加熱装置の一構成例を示す図であって、ウェットティッシュを入れた状態での加熱装置の断面図である。
【０００８】
図２において、加熱装置の本体１００は、可撓性を有するウェットティッシュ容器１４に収容されたウェットティッシュ１３を収納する収納箱２と、この収納箱２の開口部を覆う蓋体１より構成されている。なお、ウェットティッシュ１３の１枚を取り出すと、次の１枚の一部が取り出し易い状態になるようポップアップされるように周知の方法により積層されているタイプのものである。
【０００９】
蓋体１は外蓋体１′と断熱材１０と、防水シート１ａと、安全カバー１″と、ＰＴＣヒータ４ａと、アルミニウムから成る加熱板４とを積層することにより構成されている。ＰＴＣヒータ４ａは、加熱板４と図示せぬ接着剤により接合されている。また、ＰＴＣヒータ４ａには、ＰＴＣヒータ４ａに過電流が流れることを防ぐヒューズ６を介して電源プラグ７が接続され、電流が供給されるようになっている。
【００１０】
さらに、ＰＣＴヒ−タ−４ａは、自己温度制御機能によってほぼ一定温度を保つように構成されている。本構成例においては、この温度制御によりヒ−タ−温度を約６０°に保つようにしている。なお、このヒータ温度は、約６０°とするに限らず、ティッシュが体温以上、好ましくは、４０°〜５０°に保たれるように、容器の形状、構成に応じて適宜設定温度を変更するばよい。
【００１１】
加熱板４、断熱材１０、安全カバー１″、外蓋体１′の各中央部には、外蓋体１′の中央部に設けられたティッシュ取出し口９２に連通する開口部が設けられており、加熱装置の本体１００に収納されたウェットティッシュ１３の取出し通路を形成している。また、蓋体１の上面中央部には、開閉自在なティッシュ取出し口蓋３が設けられている。なお、９はウェットティッシュ容器１４を加熱板４に押しつけるための押圧部材となるスポンジである。
ウェットティッシュ１３は、１枚１枚層状に積み重ねられており、上方から加熱板４にて加熱されるので、ティッシュ取り出し口蓋３に最も隣接する上の層から下の層に向かって熱が伝わっていくことになる。従って、次に使用される最上層のウェットティッシュ１３が最もよく加熱されることになる。
【００１２】
一度に使用されるウェットティッシュ１３が、例えば、５枚だとすれば、上から５層分までが所望温度に加熱されていればよい。このような構造にすることによって、必要な分のウェットティッシュ１３だけを加熱すればよいので、効率的であり、消費電力も少なくてすむ。
【００１３】
電源プラグ７が商用電源（ＡＣ１００Ｖ，５０／６０Ｈｚ）に接続されると、電源コード１１と本体１００内の電線３０，３１，３２及びヒューズ６を介して、ＰＴＣヒータ４ａの上下面に電圧１００Ｖが印加される。このため、ＰＴＣヒータ４ａが発熱し、ＰＴＣヒータ４ａの下面に接着された加熱板４に熱が伝導される。その結果として、加熱板４によりウェットティッシュ容器１４の上面が温められ、ウェットティッシュ容器１４に収容されたウェットティッシュ１３が温められる。なお、図３は図２を上方から見たものであり、図２中の加熱板４と電熱関連部材とを示した図である。
【００１４】
【発明が解決しようとする課題】
しかしながら、図２、図３に示した本発明の関連技術である加熱装置においては、ＰＴＣヒータ４ａで発生した熱が、アルミニウムからなる加熱板４に伝導するだけでなく、銅製の電線３１，３２へも伝導される。アルミニウムの熱伝導率は１００℃において２４０（Ｋ／Ｗ・ｍ−１・Ｋ−１）であり、また、銅の熱伝導率は１００℃において３９５（Ｋ／Ｗ・ｍ−１・Ｋ−１）という良好なものであるということ、さらに、ＰＴＣヒータ４ａと加熱板４との間に接着剤（図示せず）が存在することもあって、発生する全熱量の中の電線３１，３２から逃げる熱量の割合は比較的大きく、ウェットティッシュ容器１４の上面に対する加熱効率（すなわち、エネルギーの利用効率）にいまだ改良の余地があるというのが実状であった。
【００１５】
そこで、本発明は、上記課題を解決するためになされたものであり、加熱エネルギーの利用効率を向上させたの加熱装置を提供することを目的とする。
【００１６】
【課題を解決するための手段】
本発明の加熱装置は、前記の目的を達成するために、被加熱物の少なくとも一部を加熱するための加熱手段と、前記加熱手段と前記加熱手段に給電する電線との間に配設され且つ前記電線の素材の熱伝導率の５分の１以下の熱伝導率を有する素材から形成される放熱防止接続部材とを具備することを特徴とする。
【００１７】
【作用】
本発明の上記構成において、加熱手段と該加熱手段に給電する電線との間に、電線の素材の熱伝導率の５分の１以下の熱伝導率を有する素材から形成した放熱防止接続部材を配設することによって、加熱手段に給電するための電線を伝わって逃げる熱量を低減させることが可能となる。
【００１８】
【実施例】
以下、本発明のの加熱装置の一実施例を図１を用いて説明する。本実施例は、本発明の加熱装置をウェットティッシュの加熱装置として用いた場合を示したものであり、図２乃至図３に示した関連技術の構成とほぼ同一であり、主たる相違点は電線４１，４２とＰＴＣヒータ４ａとの間にそれぞれ放熱防止接続部材２０１，２０２を配設した点にある。
【００１９】
ＰＴＣヒータ４ａには、銅製の第１アーム３０１及び第２アーム３０２が設けられている。また、ＰＴＣヒータ４ａに給電するために図示しない電源に接続される電源プラグ７は、電線４０と電線４１より構成される電源コード１１、を介してＰＴＣヒータ４ａに接続されている。そして、電線４０、４１の素材は銅である。
【００２０】
電線４１と第２アーム３０２との間には鉄製の放熱防止部材２０２が配設されており、この放熱防止部材２０２の一端は、第２アーム３０２の自由端部にビス４０２にてビス止めされ、また、他端は、電線４１に接続されている。また、電線４０と第１アーム３０１との間には、ヒューズ６、電線４２並びに鉄製の放熱防止部材２０１が順に配設されており、第１アーム３０１の自由端部にビス４０１にてビス止めされ、また、他端は、銅を素材とする電線４２に接続されている。
なお、このビス４０１、４０２を鉄製とすることにより、ビス４０１、４０２を放熱防止部材２０１、２０２の一部として機能させることも可能である。
【００２１】
放熱防止接続部材２０１，２０２はともに鉄からなっており、この鉄の熱伝導率は１００℃において７２（Ｋ／Ｗ・ｍ−１・Ｋ−１）であり、電線４１、４２を形成する銅の熱伝導率（１００℃において３９５（Ｋ／Ｗ・ｍ−１・Ｋ−１））と比して、熱伝導率を５分の１以下とすることが可能となる。従って、電線４１，４２側へ流れる熱を大きく減少させることができ、ウェットティッシュ容器１４（被加熱物）の上面への加熱効果が大きくなる。
【００２２】
なお、本実施例では放熱接続部材２０１、２０２の材質を鉄としたが、ステンレスもしくは白銀ロジウムに変更することも可能である。また、ビス４０１、４０２の材料を鉄に変えてステンレスや白銀ロジウムにすることも可能である。このステンレスの熱伝導率は１００℃において１６．５（Ｋ／Ｗ・ｍ−１・Ｋ−１）であり、白銀ロジウムの熱伝導率は１００℃において５１（Ｋ／Ｗ・ｍ−１・Ｋ−１）であるので、鉄製とした場合と同様の効果が得られる。
【００２３】
また、本実施例において、銅製の電線４１、４２として、その芯径を約２ｍｍのものを使用した場合には、放熱接続部材２０１、２０２の径を約４ｍｍ、長さを約１０ｍｍとすること、好ましくは、芯径を３ｍｍ以下、長さを７ｍｍ以下とするとよい。
【００２４】
なお、上記の実施例では本発明の加熱装置の一実施例をウェットティッシュの加熱装置として用いた場合を示したが、本発明の加熱装置は、これ以外にもコーヒーメーカなどの家電品、吸入器などの医療用具、調入用ポットなどのベビー用品にも良好に適用することができることは言うまでもない。
【００２５】
【発明の効果】
本発明の上記構成において、電線の素材の熱伝導率の５分の１以下の熱伝導率を有する素材から形成した放熱防止接続部材を加熱手段と該加熱手段に給電する電線との間に配設することによって、加熱手段に給電するための電線を伝わって逃げる熱量を低減させ、省電力で所望の温度を確保することが可能となり、加熱エネルギーの利用効率を向上させた加熱装置を提供することができる。
【図面の簡単な説明】
【図１】本発明の加熱装置の一実施例における加熱部の構成を示す平面図である。
【図２】従来の加熱装置を適用した一例としてのウェットティッシュの加熱装置の構成を示す断面図である。
【図３】図２に示す加熱装置の加熱部の構成を示す平面図である。
【符号の説明】
１  蓋体
１ａ  防水シート
２  収納箱
３  ウェットティッシュ取り出し口蓋
４  加熱板
４ａ  ＰＣＴヒータ
６  ヒューズ
７  電源プラグ
９  スポンジ
１０  断熱材
１１  電源コード
１３  ウェットティッシュ
１４  ウェットティッシュ容器
３０、３１、３２  電線
４０、４１、４２  電線
９２  ティッシュ取出口
１００  本体
２０１、２０２  放熱防止接続部材
３０１、３０２  アーム
４０１、４０２  ビス
【図１】
0003583502.tif 000002
【図２】
0003583502.tif 000003
【図３】
0003583502.tif 000004